(57)【要約】【課題】縦向き横向きのいずれでも操作ができる携帯端末を提供する。【解決手段】携帯端末１は、平面視で長方形形状を呈する本体１０と、本体１０の表面１１に配置される表示ディスプレイ１２と、本体１０の表面１１と逆側の裏面１３とを有している。裏面１３には、端子１４と、端子カバー１５と、カメラ１６と、電池パック収納領域１７とが設けられている。バーコードリーダモジュール２０は、本体部２１と、取付部２２と、リーダカメラ２３と、スイッチ２４と、端子１４と電気的に接続するモジュール側端子２５と、ストラップ３０の一端を支持する支持部２６とを備える。カメラ１６と電池パック収納領域１７との位置関係を規定することにより、カメラの塞がりを防止して、本体１０の縦向き、横向きのいずれの状態でも利用可能とした。【選択図】図４
2019193136.tif 000002
【特許請求の範囲】
【請求項１】
表示ディスプレイを有する表面及び当該表面と逆側の裏面を有し、平面視で長方形形状を呈する本体と、
バーコードリーダモジュールとの電気的接続を確保するため、前記裏面に設けられた端子と、
前記裏面を対象物に向けた状態で撮影可能なカメラと、を備え、
前記本体の直交する二つの辺のそれぞれを３等分する想像線を仮想的に配置して、前記本体を平面視で９分割のマトリックスからなる領域に分割し、
前記二つの辺のいずれかを上側に配置した上辺と定義した状態で、当該上辺を含む三つの領域を左から順に第１領域、第２領域、第３領域として定義し、
前記第１領域、前記第２領域、前記第３領域の下の三つの領域を左から順に第４領域、第５領域、第６領域として定義し、
前記第４領域、前記第５領域、前記第６領域の下の三つの領域を左から順に第７領域、第８領域、第９領域として定義し、
前記端子が前記第２領域に設けられ、
電池パックを収納する電池パック収納領域が、前記第４領域、前記第５領域、前記第７領域、前記第８領域を併合した第１併合領域、または前記第５領域、前記第６領域、前記第８領域、前記第９領域を併合した第２併合領域に設けられ、
前記カメラが、前記電池パック収納領域が前記第１併合領域に設けられた場合には、前記第３領域に設けられ、前記電池パック収納領域が前記第２併合領域に設けられた場合には、前記第１領域に設けられる、
携帯端末。
【請求項２】
請求項１に記載の携帯端末であって、
把持用のストラップの一つの端部が前記バーコードリーダモジュールに取り付けられ、
前記ストラップの他の端部が、前記第７領域、前記第８領域、前記第９領域のうちの少なくともいずれか一つに取り付けられる、
携帯端末。
【発明の詳細な説明】
【技術分野】
【０００１】
本開示は、タブレット等の携帯端末に関する。
【背景技術】
【０００２】
異なる方向に対応できるバーコードリーダを備える電子機器が知られている（特許文献１、２参照）。
【０００３】
特許文献１は、バーコード読み取り手段を備える手持型データ収集装置であり、第一筐体部に設けられたバーコード読み取り手段が第二筐体部に対して回転可能に連結させることにより左右どちらの手でも操作可能としたことが開示されている。特許文献２は、読取口から入射した読取対象からの反射光を、リニアセンサに導くための光学機構を、光路を折返す複数の反射鏡を有して構成し、それら複数の反射鏡により反射光の進行方向を１８０度転換させるコード読取装置であり、装置本体の筐体全体が真直ぐのストレートタイプと、筐体の読取ヘッド部分が折曲がったいわゆる首曲りタイプに対応できることが開示されている。
【先行技術文献】
【特許文献】
【０００４】
【特許文献１】実開平３−１００９６０号公報
【特許文献２】特開２００２−１０９４６４号公報
【発明の概要】
【発明が解決しようとする課題】
【０００５】
しかしながら、バーコードリーダを利用する際のいずれの向きにおける操作にも対応することが求められているが、そのような要望を満たす携帯端末は存在していないという課題がある。
【０００６】
本開示は、縦向き横向きのいずれでも操作ができる携帯端末を提供することを目的とする。
【課題を解決するための手段】
【０００７】
本開示の携帯端末は、表示ディスプレイを有する表面及び当該表面と逆側の裏面を有し、平面視で長方形形状を呈する本体と、バーコードリーダモジュールとの電気的接続を確保するため、前記裏面に設けられた端子と、前記裏面を対象物に向けた状態で撮影可能なカメラと、を備え、前記本体の直交する二つの辺のそれぞれを３等分する想像線を仮想的に配置して、前記本体を平面視で９分割のマトリックスからなる領域に分割し、前記二つの辺のいずれかを上側に配置した上辺と定義した状態で、当該上辺を含む三つの領域を左から順に第１領域、第２領域、第３領域として定義し、前記第１領域、前記第２領域、前記第３領域の下の三つの領域を左から順に第４領域、第５領域、第６領域として定義し、前記第４領域、前記第５領域、前記第６領域の下の三つの領域を左から順に第７領域、第８領域、第９領域として定義し、前記端子が前記第２領域に設けられ、電池パックを収納する電池パック収納領域が、前記第４領域、前記第５領域、前記第７領域、前記第８領域を併合した第１併合領域、または前記第５領域、前記第６領域、前記第８領域、前記第９領域を併合した第２併合領域に設けられ、前記カメラが、前記電池パック収納領域が前記第１併合領域に設けられた場合には、前記第３領域に設けられ、前記電池パック収納領域が前記第２併合領域に設けられた場合には、前記第１領域に設けられる。
【発明の効果】
【０００８】
本開示によれば、本体を縦向き、横向きのいずれの状態で使用しても、重量が重い電池パック収納領域が常に本体の下側に位置することで、利用者は携帯端末本体を安定して把持することができ、且つ、本体を縦向き、横向きのいずれの状態でも、常に本体裏面の上部にカメラが位置することで、本体を縦向き、横向きのいずれの状態でも利用者の手によって、カメラが塞がってしまうことを避けることができる。また、常に本体裏面の上部にバーコードリーダモジュールを配置する領域を確保することができるため、バーコードリーダモジュールを使用する場合の利用者の利便性を確保することができる。
【図面の簡単な説明】
【０００９】
【図１】本開示の携帯端末の一例を示す正面図。
【図２】図１の背面図。
【図３】本開示の携帯端末の領域を説明するための模式図、（ａ）第１領域から第９領域、（ｂ）第１併合領域、（ｃ）第２併合領域。
【図４】本開示のバーコードリーダモジュールの第１の実施形態の一例を示す分解斜視図。
【図５】図４の組み立て斜視図。
【図６】本開示のバーコードリーダモジュールの第２の実施形態の一例を示す分解斜視図。
【図７】図６の組み立て斜視図。
【図８】本開示のストラップの実施例１の一例を示し、（ａ）ストラップの正面図、（ｂ）ストラップを携帯端末に装着した状態の概念図。
【図９】本開示のストラップの実施例２の一例を示し、（ａ）ストラップの正面図、（ｂ）ストラップを携帯端末に装着した状態の概念図。
【発明を実施するための形態】
【００１０】
以下、適宜図面を参照しながら、本開示に係る携帯端末を具体的に開示した実施形態（以下、「本実施形態」という）を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、添付図面および以下の説明は、当業者が本開示を十分に理解するために提供されるものであって、これらにより特許請求の範囲に記載の主題を限定することは意図されていない。
【００１１】
以下、本開示を実施するための好適な本実施形態について、図面を参照して詳細に説明する。
【００１２】
図１は、本開示の携帯端末の一例を示す正面である。図２は、本開示の携帯端末の一例を示す図１の背面図である。図１及び図２に基づいて本開示の携帯端末を詳述する。
【００１３】
携帯端末１は、個人用、業務用を含み、例えばスマートフォン等の携帯電話、タブレット、デジタルカメラ、携帯型パーソナルコンピュータ、無線機等の電子機器である。本実施形態の携帯端末１では、耐衝撃、耐振動、防滴、防塵等を備え工場、工事、公共安全、輸送業者等の商業上の現場で使用され、一般的な携帯端末に比べ重量があるタブレット型携帯端末を一例としている。
【００１４】
携帯端末１は、主として樹脂又は金属からなり、平面視で長方形形状を呈する本体１０と、本体１０の表面１１に配置される液晶パネルや有機ＥＬパネル等のディスプレイからなる表示ディスプレイ１２と、本体１０の表面１１と逆側の裏面１３とを有している。裏面１３には、端子１４と、端子１４を覆う端子カバー１５と、カメラ１６と、電池パック収納領域１７とが設けられている。
【００１５】
表示ディスプレイ１２は、平面視で略四角形であるタッチパネルを有し、アイコン、画像、情報データ等を表示し、操作が可能なＵＩ（ユーザーインターフェース）型の表示機能を備えている。端子１４は、後述するバーコードリーダモジュール２０との電気的接続を確保し、カメラ１６は対象物に向けた状態で撮影可能とし、電池パック収納領域１７は電池パックを収納するための領域である。
【００１６】
図３に基づいて、本体１０の領域について説明する。
【００１７】
本体１０の直交する二つの辺１０ａ、１０ｂのそれぞれを３等分する想像線Ｌ（図３の破線参照）を仮想的に配置して、本体１０を平面視で９分割のマトリックスからなる領域Ｓに分割し、二つの辺１０ａ、１０ｂのいずれかを上側に配置した辺を上辺と定義する。本実施形態では、長手方向の辺を上辺１０ａとし、他の辺を側辺１０ｂとする。尚、上辺１０ａ、側辺１０ｂは逆でも良い。つまり、短手方向の辺を上辺１０ａとして、９分割のマトリクスからなる領域Ｓに分割しても良い。
【００１８】
上辺１０ａを含む三つの領域を左から順に第１領域Ｓ１、第２領域Ｓ２、第３領域Ｓ３として定義する。また、第１領域Ｓ１、第２領域Ｓ２、第３領域Ｓ３の下の三つの領域を左から順に第４領域Ｓ４、第５領域Ｓ５、第６領域Ｓ６として定義する。そして、第４領域Ｓ４、第５領域Ｓ５、第６領域Ｓ６の下の三つの領域を左から順に第７領域Ｓ７、第８領域Ｓ８、第９領域Ｓ９として定義する（図３（ａ）参照）。
【００１９】
また、第４領域Ｓ４、第５領域Ｓ５、第７領域Ｓ７、第８領域Ｓ８を併合した領域を第１併合領域Ｓ１０と定義し（図３（ｂ）参照）、そして、第５領域Ｓ５、第６領域Ｓ６、第８領域Ｓ８、第９領域Ｓ９を併合した領域を第２併合領域Ｓ２０と定義する（図３（ｃ）参照）。図３（ｂ）、（ｃ）において、各併合領域は斜線で示している。
【００２０】
本実施形態では、電池パック収納領域１７が、第２の併合領域Ｓ２０に設けられ、カメラ１６が第１領域Ｓ１に設けられているが、当該配置は変更することが可能である。即ち、図３（ｂ）に示されるように、電池パック収納領域１７が第１の併合領域Ｓ１０に設けられた場合、カメラ１６は第３領域Ｓ３に設けることができる。図３（ｃ）においては、電池パック収納領域１７が第２の併合領域Ｓ２０に設けている場合であり、カメラ１６は第１領域Ｓ１にある。これにより、本体１０を縦向き、横向きのいずれの状態でも利用者の手によって、カメラ１６が塞がってしまうことを避けることができる。
【００２１】
図４は、バーコードリーダモジュール２０の第１の実施形態の一例を示す分解斜視図である。図５は、図４のバーコードリーダモジュール２０を本体１０に取り付けた状態を示す背面斜視図である。図４及び図５に基づいてバーコードリーダモジュール２０の第１の実施形態を説明する。
【００２２】
第１の実施形態のバーコードリーダモジュール２０は、第２領域Ｓ２に配置され、平面視で四角形状を呈している。バーコードリーダモジュール２０は、本体部２１と、本体部２１の側面方向に突出する取付部２２とを備える。本体部２１には、バーコードを読み取るためのリーダカメラ２３と、当該読み取りを操作するスイッチ２４と、端子１４と電気的に接続するモジュール側端子２５と、後述するストラップ３０の一端を支持する支持部２６とを備える。また、取付部２２には、ネジ２７が挿入する挿入孔２８が設けられている。尚、スイッチ２４は、本体部２１の一側面に設けられているが両側面に配置しても良い。
【００２３】
バーコードリーダモジュール２０を、本体１０に取り付ける場合、以下の手順で行われる。まず、端子カバー１５を固定しているネジを外して端子カバー１５を裏面１３から外し、バーコードリーダモジュール２０の端子１４とモジュール側端子２５とを電気的に接続する。次に、バーコードリーダモジュール２０の取付部２２の挿入孔２８にネジ２７を挿入させ、ネジ孔１３ａに螺合させることにより、裏面１３にバーコードリーダモジュール２０を固定することができる。
【００２４】
図６は、バーコードリーダモジュール２０の第２の実施形態の一例を示す分解斜視図である。図７は、図６のバーコードリーダモジュール２０を本体１０の取り付けた状態を示す背面斜視図である。図６及び図７に基づいてバーコードリーダモジュール２０の第２の実施形態を説明する。
【００２５】
第２の実施形態のバーコードリーダモジュール２０は、本体部２１に対して取付部２２が側面方向に大きく形成され、辺１０ｂからの平面視においてＬ字形を呈している。Ｌ字形の頭部側に、モジュール側端子２５が設けられている。第１の実施形態では、横型使用のためリーダカメラ２３は上辺１０ａの外側に向けて配置されていたが、第２の実施形態では、縦型使用として側辺１０ｂの外側に向けて配置され、バーコードリーダモジュール２０の本体部２１は、第４領域Ｓ４に配置される。
【００２６】
第２の実施形態のバーコードリーダモジュール２０も第１の実施形態と同様、端子カバー１５を外して取付部２２を固定することにより、裏面１３に取り付けることができる。
【００２７】
本体１０を縦向き、横向きのいずれの状態で使用しても、重量が重い電池パック収納領域１７が常に本体１０の下側に位置することで、利用者は携帯端末１の本体１０を安定して把持することができる。同時に、本体１０を縦向き、横向きのいずれの状態でも、常に本体１０の裏面の１３上部にカメラ１６が位置することで、本体１０を縦向き、横向きのいずれの状態でも利用者の手によって、カメラ１６が塞がってしまうことを避けることができる。また、常に本体１０の裏面１３の上部にバーコードリーダモジュール２０を配置する領域を確保することができるため、バーコードリーダモジュール２０を使用する場合の利用者の利便性を確保することができる。
【００２８】
図８は、本体に取り付けるストラップの第１実施例の一例を示し（ａ）はストラップの正面図、（ｂ）はバーコードリーダモジュールにストラップを装着した状態の概念図である。図９は、バーコードリーダモジュールに装着されるストラップの第２実施例を示す概念図である。図８および図９に基づいてストラップを説明する。
【００２９】
本体１０の裏面１３に、皮や布からなる帯状で変形可能な把持用のストラップ３０を取り付けることができる。
【００３０】
本実施形態のストラップ３０は、第１部材３１と、第１部材３１の上部に配置され、第１部材３１と連結する第２部材３２とを有し、第１部材３１と第２部材３２との間にストラップ３０を把持可能とするために、指を挿入可能とする空間が設けられている。
【００３１】
また、ストラップ３０は、３カ所で本体１０の裏面１３に取り付けるため、３つの端部３３を有している。第１の端部３３ａは、バーコードリーダモジュール２０の本体部２１に取り付けられ、第２の端部３３ｂおよび第３の端部３３ｃは、それぞれ本体１０の角に取り付けられる。実施例１では、第２の端部３３ｂが第９領域Ｓ９に取り付けられ、第３の端部３３ｃが第３領域Ｓ３に取り付けられ、実施例２では、第２の端部３３ｂが第７領域Ｓ７に取り付けられ、第３の端部３３ｃが第９領域Ｓ９に取り付けられている。
【００３２】
当該取り付ける構造は、種々あるが、一例を図８および図９に基づいて説明する。第１の端部３３ａは、バーコードリーダモジュール２０の支持部２６に金具や松葉紐などでバーコードリーダモジュール２０の本体部２１に取り付けられる。第１実施例では、第２の端部３３ｂおよび第３の端部３３ｃには、係合片３４が設けられ、本体１０の角に周知の松葉紐などで取り付けた係止部３５と係合することにより、取り付けが行われる。第２実施例では、第２の端部３３ｂの裏側に配置された松葉紐を金具等に引っ掛けて第２の端部３３ｂが取り付けられ、第３の端部３３ｃに設けられた係合片３４と本体１０の角に取り付けるための係止部３５との係合で第３の端部３３ｃが取り付けられる。なお、端部３３の取り付け構造には限定しない。
【００３３】
第１実施例のストラップ３は、携帯端末１の第２の実施形態に取り付けられ、第２実施例は、携帯端末１の第１の実施形態に取り付けられる。ストラップ３０の平面視においてＹ字形状を呈するストラップ３０を実施例として説明したが、Ｉ字形状、Ｘ字形状でもよく、Ｉ字形状であれば一つの端部３３は、第８領域Ｓ８に取り付けられる。
【００３４】
なお、ストラップ３０の平面視形状については、特に限定しない。また、第２部材３２が第１部材３１に対して回転自在に取り付けられていてもよい。
【００３５】
本実施形態のストラップ３０は、本体１０の裏面１３を大きく覆うもので、本体１０の保護および加重のある業務用などの携帯端末１に適している。ストラップ３０により安定した状態でバーコードリーダモジュール２０を利用することができ、第１領域Ｓ１または第３領域Ｓ３に配置されたカメラ１６を遮ることもない。
【００３６】
以上、図面を参照して本開示に係る携帯端末の実施形態について説明したが、本開示はかかる例に限定されない。当業者であれば、特許請求の範囲に記載された範疇内において、各種の変更例、修正例、置換例、付加例、削除例、均等例に想到し得ることは明らかであり、それらについても当然に本開示の技術的範囲に属するものと了解される。
【産業上の利用可能性】
【００３７】
本開示の携帯端末は、横向き縦向き両方の使用が可能なバーコードリーダモジュールが備えられて安定して操作ができることを望む分野に有用である。
【符号の説明】
【００３８】
１：携帯端末
１０：本体
１０ａ：上辺
１０ｂ：側辺
１１：表面
１２：表示ディスプレイ
１３：裏面
１４：端子
１５：端子カバー
１６：カメラ
１７：電池パック収納領域
２０：バーコードリーダモジュール
２１：本体部
２２：取付部
３０：ストラップ
３１：第１部材
３２：第２部材
３３：端部
Ｓ：領域
Ｓ１〜Ｓ９：第１領域〜第９領域
Ｓ１０：第１併合領域
Ｓ２０：第２併合領域
【図１】
2019193136.tif 000003
【図２】
2019193136.tif 000004
【図３】
2019193136.tif 000005
【図４】
2019193136.tif 000006
【図５】
2019193136.tif 000007
【図６】
2019193136.tif 000008
【図７】
2019193136.tif 000009
【図８】
2019193136.tif 000010
【図９】
2019193136.tif 000011